(57)【要約】【課題】浴槽水の熱を貯湯タンク内に回収することと、浴槽に接続された循環回路に対する洗浄効果を向上することとを両立することのできる給湯装置を提供する。【解決手段】給湯装置１は、浴槽８に接続された循環回路に、浄化作用を有する成分を浴槽水に添加した流体を循環させて循環回路を洗浄する循環洗浄運転と、浴槽８に貯留された浴槽水の熱を貯湯タンク１５内へ回収する浴槽熱回収運転とを実行可能である。給湯装置１は、浴槽熱回収運転の実行後に循環洗浄運転を実行させる第一モードと、循環洗浄運転の実行後に浴槽熱回収運転を実行させる第二モードと、浴槽熱回収運転の少なくとも一部と循環洗浄運転の少なくとも一部とが時間的に重なるように実行させる第三モードと、のうちの少なくとも一つの熱回収洗浄モードを有する制御装置１０を備える。【選択図】図１
2018105599.tif 000002
【特許請求の範囲】
【請求項１】
浴槽に接続された循環回路に、浄化作用を有する成分を浴槽水に添加した流体を循環させて前記循環回路を洗浄する循環洗浄運転と、前記浴槽に貯留された浴槽水の熱を貯湯タンク内へ回収する浴槽熱回収運転とを実行可能な給湯装置において、
前記浴槽熱回収運転の実行後に前記循環洗浄運転を実行させる第一モードと、
前記循環洗浄運転の実行後に前記浴槽熱回収運転を実行させる第二モードと、
前記浴槽熱回収運転の少なくとも一部と前記循環洗浄運転の少なくとも一部とが時間的に重なるように実行させる第三モードと、
のうちの少なくとも一つの熱回収洗浄モードを有する制御手段を備える給湯装置。
【請求項２】
前記第三モードは、前記浴槽熱回収運転を前記循環洗浄運転より先に開始させるモードと、前記循環洗浄運転を前記浴槽熱回収運転より先に開始させるモードと、前記浴槽熱回収運転及び前記循環洗浄運転を同時期に開始させるモードとのうちの少なくとも一つのモードを含む請求項１に記載の給湯装置。
【請求項３】
自動で開閉可能な排水栓が前記浴槽に設置され、
前記浴槽内の浴槽水の排出を許可するユーザー操作である排水操作がされた場合に、前記制御手段は、前記熱回収洗浄モードを開始するとともに前記熱回収洗浄モードが少なくとも途中まで実行された後に前記排水栓を自動で開かせることが可能である請求項１または請求項２に記載の給湯装置。
【請求項４】
自動で開閉可能な排水栓が前記浴槽に設置され、
前記浴槽内の浴槽水の排出を許可するユーザー操作である排水操作がされた場合に、前記制御手段は、前記排水栓を自動で開かせて浴槽水を前記排水栓から排出しながら前記第三モードを実行することが可能である請求項１から請求項３のいずれか一項に記載の給湯装置。
【請求項５】
自動で開閉可能な排水栓が前記浴槽に設置され、
前記制御手段は、予約に応じて前記熱回収洗浄モードの実行及び前記排水栓を自動で開かせることによる浴槽水の排出を行うことと、前記浴槽内の浴槽水の排出を許可するユーザー操作である排水操作がされた場合に前記熱回収洗浄モードの実行及び前記排水栓を自動で開かせることによる浴槽水の排出を行うこととが可能である請求項１から請求項４のいずれか一項に記載の給湯装置。
【請求項６】
前記予約に応じた前記浴槽熱回収運転の運転時間は、前記排水操作がされた場合の前記浴槽熱回収運転の運転時間に比べて、長い請求項５に記載の給湯装置。
【請求項７】
前記予約に応じた前記循環洗浄運転の運転時間は、前記排水操作がされた場合の前記循環洗浄運転の運転時間に比べて、長い請求項５または請求項６に記載の給湯装置。
【請求項８】
前記熱回収洗浄モードの開始後に、前記排水栓を作動させるためのユーザー操作がされた場合には、前記熱回収洗浄モードの実行が停止され、当該ユーザー操作に応じて前記排水栓が開閉される請求項３から請求項７のいずれか一項に記載の給湯装置。
【請求項９】
前記浴槽に貯留された浴槽水が排水栓から排出され始めたことを検出する手段を備え、
前記浴槽に貯留された浴槽水が前記排水栓から排出され始めたときに、前記制御手段が前記第三モードを開始可能である請求項１から請求項８のいずれか一項に記載の給湯装置。
【請求項１０】
前記給湯装置は、水源から供給される水を前記循環回路に注入する注水洗浄運転を実行可能であり、
前記制御手段は、前記浴槽内の浴槽水の排出終了時に前記注水洗浄運転を実行させることが可能である請求項３から請求項９のいずれか一項に記載の給湯装置。
【請求項１１】
入浴者を検出する入浴者検出手段を備え、
前記入浴者検出手段が入浴者を検出した場合には、前記浴槽熱回収運転及び前記循環洗浄運転が停止される請求項１から請求項１０のいずれか一項に記載の給湯装置。
【発明の詳細な説明】
【技術分野】
【０００１】
本発明は、給湯装置に関する。
【背景技術】
【０００２】
浴槽の残り湯の熱を貯湯タンク内へ回収する浴槽熱回収運転を実行可能な給湯装置が知られている（例えば、特許文献１参照）。特許文献１には、以下のような記載がある。浴槽残湯熱を集熱しながら貯湯タンク（７）の水を加熱し貯湯する運転において、風呂熱交換器（１０）出口の残湯水温が第１設定温度まで低下すると、流路切換え手段（１３）を出水流路（１４）側に切換えて、熱交換した低温水を外部に排水する。その後、風呂ポンプ（２４）を最大流量で運転して排水し、風呂熱交換器（１０）内の湯垢、浮遊物などを洗い流す。
【先行技術文献】
【特許文献】
【０００３】
【特許文献１】特開平１１−３３７１６８号公報
【発明の概要】
【発明が解決しようとする課題】
【０００４】
浴槽に接続された循環回路の流路内には、浴槽水に含まれる皮脂汚れなどの汚れが付着する。特許文献１の技術では、以下の課題がある。単に風呂ポンプを最大流量で運転するだけでは、浮遊物を物理的に押し流すような効果はあるものの、循環回路の流路内壁に付着した皮脂汚れなどの汚れを落とす効果は得にくい。そればかりか、皮脂汚れを含む浴槽水が循環回路を大流量で通過することで、循環回路の流路内壁への汚れの堆積が促進され、逆効果となる可能性もある。特に、浴槽熱回収運転によって温度が低下した浴槽水が循環回路を通過するので、浴槽水から温度低下により析出した皮脂汚れが循環回路の流路内壁に堆積しやすい。
【０００５】
本発明は、上述のような課題を解決するためになされたもので、浴槽水の熱を貯湯タンク内に回収することと、浴槽に接続された循環回路に対する洗浄効果を向上することとを両立することのできる給湯装置を提供することを目的とする。
【課題を解決するための手段】
【０００６】
本発明に係る給湯装置は、浴槽に接続された循環回路に、浄化作用を有する成分を浴槽水に添加した流体を循環させて循環回路を洗浄する循環洗浄運転と、浴槽に貯留された浴槽水の熱を貯湯タンク内へ回収する浴槽熱回収運転とを実行可能な給湯装置において、浴槽熱回収運転の実行後に循環洗浄運転を実行させる第一モードと、循環洗浄運転の実行後に浴槽熱回収運転を実行させる第二モードと、浴槽熱回収運転の少なくとも一部と循環洗浄運転の少なくとも一部とが時間的に重なるように実行させる第三モードと、のうちの少なくとも一つの熱回収洗浄モードを有する制御手段を備えるものである。
【発明の効果】
【０００７】
本発明の給湯装置によれば、浴槽水の熱を貯湯タンク内に回収することと、浴槽に接続された循環回路に対する洗浄効果を向上することとを両立することが可能となる。
【図面の簡単な説明】
【０００８】
【図１】実施の形態１による給湯装置を示す図である。
【図２】図１に示す給湯装置の循環洗浄運転における流体の流れを示す図である。
【図３】図１に示す給湯装置の注水洗浄運転における流体の流れを示す図である。
【図４】図１に示す給湯装置の浴槽熱回収運転における流体の流れを示す図である。
【図５】第一モードの熱回収洗浄モードの処理を含むフローチャートである。
【図６】第二モードの熱回収洗浄モードの処理を含むフローチャートである。
【図７】第三モードの熱回収洗浄モードの処理を含むフローチャートである。
【発明を実施するための形態】
【０００９】
以下、図面を参照して実施の形態について説明する。各図において共通または対応する要素には、同一の符号を付して、重複する説明を簡略化または省略する。
【００１０】
実施の形態１．
図１は、実施の形態１による給湯装置１を示す図である。本実施の形態の給湯装置１は、貯湯ユニット２０及び熱源ユニット３０を備える。貯湯ユニット２０が備える筐体の内部には、貯湯タンク１５と、制御装置１０を構成する制御基板と、後述するその他の機器とが収納されている。給水管２１が貯湯ユニット２０に接続されている。水道等の外部の水源からの水が給水管２１を通って貯湯ユニット２０に供給される。給水管２１から供給された水は、貯湯ユニット２０の内部の給水管２２を通って、貯湯タンク１５の下部に流入可能である。貯湯タンク１５内では、温度による水の密度の違いにより、上側が高温で下側が低温の温度成層が形成可能である。
【００１１】
給湯装置１が家庭用のものである場合には、貯湯タンク１５の容量は、例えば、３７０Ｌ〜５５０Ｌ程度でもよい。貯湯タンク１５は、例えばステンレス鋼のような金属製である。貯湯タンク１５は、図示しない断熱材により覆われており、内部に貯留された湯を保温することができる。
【００１２】
貯湯タンク１５には、貯湯タンク１５内の水温を検出するための、複数の温度センサ１３ａ〜１３ｅが、互いに異なる高さの位置に取り付けられている。図示の例では、上から順に、５個の温度センサ１３ａ〜１３ｅが設けられている。これらの温度センサ１３ａ〜１３ｅにより、貯湯タンク１５内の鉛直方向の温度分布を検出することで、貯湯タンク１５内の貯湯量及び蓄熱量を計算可能となる。
【００１３】
熱源ユニット３０は、水を加熱する加熱手段の例である。熱源ユニット３０は、例えば、圧縮機、空気熱交換器、水熱交換器などを備えて構成されるヒートポンプ熱源機でもよい。ヒートポンプ熱源機の冷媒回路に用いる冷媒としては、例えば、ＣＯ２、ＨＦＣ系冷媒が挙げられる。本発明における加熱手段は、ヒートポンプ熱源機に限定されるものではなく、例えば、ガス、灯油、重油、石炭のような燃料の燃焼熱で加熱する燃焼式加熱装置でもよいし、太陽熱により加熱する装置でもよいし、これらを組み合わせたものでもよい。
【００１４】
水路２３は、貯湯タンク１５の下部と、熱源ユニット３０の水入口との間をつなぐ。水路２３の途中に水ポンプ１４ａが接続されている。水路２４は、熱源ユニット３０の水出口と、貯湯タンク１５の上部との間をつなぐ。図示の例では貯湯ユニット２０内に水ポンプ１４ａが配置されているが、この例に代えて、熱源ユニット３０内に水ポンプ１４ａが配置されてもよい。
【００１５】
貯湯ユニット２０の内部には、給湯混合弁２、熱交換器３、気泡発生装置４、電磁弁７、三方弁１１、水ポンプ１４ｂ、及び水ポンプ１４ｃが備えられている。給湯混合弁２は、第一入口２ａ、第二入口２ｂ、及び出口２ｃを有する。第一入口２ａは、給水管２５に接続されている。給水管２１から貯湯ユニット２０に供給された水は、貯湯ユニット２０の内部で、給水管２５を通って給湯混合弁２に流入可能である。第二入口２ｂは、出湯路２６を介して、貯湯タンク１５の上部につながる。給湯混合弁２は、例えばステッピングモータのようなアクチュエータにより弁体を駆動することで、第一入口２ａから流入する水と、第二入口２ｂから流入する湯との混合比を調整可能な構成を有する。給湯混合弁２により、給水管２５から供給される水と、貯湯タンク１５から供給される高温の湯とを混合することで、給湯温度を調整できる。
【００１６】
貯湯ユニット２０は、外部配管を介して、給湯端末５と、浴室の浴槽８とに接続されている。給湯混合弁２から流出した湯を、給湯端末５及び浴槽８へ供給可能である。給湯端末５は、例えば、浴室のシャワー、キッチンシンクの蛇口、洗面所の蛇口のうちの少なくとも一つを含んでもよい。図示の例では、一つの給湯混合弁２から給湯端末５及び浴槽８の双方へ給湯可能としているが、この例に代えて、給湯端末５に給湯するための混合弁と、浴槽８に給湯するための混合弁とを別々に備えてもよい。
【００１７】
以下の説明では、浴槽８に溜められた湯水を「浴槽水」と称する。また、貯湯タンク１５に溜められた湯水を「タンク水」と呼ぶことがある。
【００１８】
熱交換器３は、浴槽水と、熱媒体となるタンク水との間で熱を交換する熱交換器である。熱交換器３は、第一水路２７及び第二水路２８を介して、浴槽８に接続されている。第一水路２７の途中に、気泡発生装置４及び水ポンプ１４ｃが接続されている。温度センサ１２ａは、第一水路２７を通る浴槽水の温度を検出する。水ポンプ１４ｃが運転されると、浴槽８内の浴槽水が第一水路２７に引き込まれる。当該浴槽水は、第一水路２７、熱交換器３、及び第二水路２８をこの順に通過し、浴槽８内に戻る。本実施の形態では、第一水路２７、熱交換器３、及び第二水路２８により、浴槽８に接続された循環回路が形成される。以下の説明では、当該循環回路を「浴槽循環回路」と呼ぶことがある。
【００１９】
第二水路２８の途中から給湯管２９が分岐している。給湯管２９は、給湯混合弁２の出口２ｃにつながる。給湯管２９の途中に接続された電磁弁７が開くと、給湯混合弁２から流出した湯が、給湯管２９、第一水路２７及び第二水路２８を通って、浴槽８へ注入される。
【００２０】
三方弁１１は、第一入口１１ａ、第二入口１１ｂ、及び出口１１ｃを有する流路切替弁である。第一入口１１ａは、上部水路３１を介して、貯湯タンク１５の上部につながる。第二入口１１ｂは、第一下部水路３２を介して貯湯タンク１５につながる。図示の例では、第一下部水路３２と貯湯タンク１５との接続位置は、貯湯タンク１５の１／２の高さよりも低い位置にある。出口１１ｃは、水路３３を介して、熱交換器３のタンク水の入口につながる。
【００２１】
熱交換器３のタンク水の出口は、第二下部水路３４を介して、貯湯タンク１５につながる。第二下部水路３４の途中に、水ポンプ１４ｂが接続されている。図示の例では、第二下部水路３４と貯湯タンク１５との接続位置は、第一下部水路３２と貯湯タンク１５との接続位置に比べて低い位置にある。このような構成に代えて、第一下部水路３２と貯湯タンク１５との接続位置が、第二下部水路３４と貯湯タンク１５との接続位置に比べて低い位置にあってもよい。温度センサ１２ｂは、第二下部水路３４を通るタンク水の温度を検出する。温度センサ１２ｃは、水路３３を通るタンク水の温度、すなわち熱交換器３に流入するタンク水の温度を検出する。
【００２２】
気泡発生装置４は、浴槽循環回路を流れる浴槽水の中に気泡を発生させることが可能である。当該気泡は、例えば、マイクロバブルのような微細な気泡を含むものでもよい。当該気泡は、浴槽循環回路の流路内壁に付着した、例えば皮脂汚れのような汚れを洗浄除去する作用を有する。気泡発生装置４は、例えば、以下のようなエジェクタを備えるものでもよい。エジェクタは、浴槽水の流路を縮径させる縮径部を有する。この縮径部に発生する負圧により、吸気通路から、例えば空気のような気体を自然吸気できる。当該縮径部において、浴槽水の流れに対して垂直な方向から、吸気通路を通って気体が導入される。エジェクタの上流側の位置には、エジェクタに流入する水流を旋回させる静止翼が備えられていてもよい。静止翼は、例えば、流路の軸線を中心とする旋回流を形成する。静止翼により形成される浴槽水の旋回流が気泡をせん断して微細化することで、微細な気泡を生成できる。
【００２３】
本実施の形態において気泡発生装置４により生成される気泡は、浴槽循環回路の流路内を浄化する作用を有する成分の例である。浄化作用を有する成分は、気泡に限定されるものではなく、例えば、界面活性剤のような洗剤、あるいは抗菌効果を有するミネラルなどを、気泡に代えて、または気泡と共に、用いてもよい。浄化作用を有する成分を浴槽水に添加した流体を浴槽循環回路に循環させることで、浴槽循環回路に対する優れた洗浄効果が得られる。
【００２４】
本実施の形態では、気泡発生装置４で気泡を発生することなく浴槽循環回路に浴槽水を循環させることも可能である。例えば、気泡発生装置４に通じる吸気通路に電磁弁（図示省略）を設け、当該電磁弁の開閉により、気泡発生装置４による気泡発生の有無を切り替えることができる。
【００２５】
給湯装置１が備える各種のアクチュエータは、制御装置１０に対して電気的に接続されている。制御装置１０は、各種のセンサで検出された情報、及び端末装置６から受信した情報などに基づいて、給湯装置１の運転を制御する。制御装置１０の各機能は、処理回路により実現されてもよい。制御装置１０の処理回路は、少なくとも１つのプロセッサと少なくとも１つのメモリとを備えてもよい。少なくとも１つのプロセッサは、少なくとも１つのメモリに記憶されたプログラムを読み出して実行することにより、制御装置１０の各機能を実現してもよい。制御装置１０の処理回路は、少なくとも１つの専用のハードウェアを備えてもよい。単一の制御装置１０により動作が制御される構成に限定されるものではなく、複数の制御装置が連携して制御する構成にしてもよい。
【００２６】
端末装置６は、ユーザーインターフェースとしての機能を有する。端末装置６は、制御装置１０に対して、双方向にデータ通信可能に接続される。その通信は、無線通信でも有線通信でもよい。複数の端末装置６が、制御装置１０に対して通信可能でもよい。浴室に設置される浴室リモコンを端末装置６として備えてもよい。台所に設置される台所リモコンを端末装置６として備えてもよい。宅内のネットワークを介して、端末装置６と制御装置１０とが通信可能でもよい。端末装置６と制御装置１０とは、例えば、住宅に備えられた複数の電気機器を管理するホームエネルギーマネジメントシステムのコントローラのような、外部の機器を介して通信可能でもよい。端末装置６は、例えば、スマートフォン、タブレット端末のような携帯端末でもよい。端末装置６が携帯端末である場合、ユーザーの外出先から端末装置６が例えばインターネットなどのネットワークを介して制御装置１０と通信可能でもよい。
【００２７】
端末装置６は、例えば、液晶表示パネル、有機ＥＬ表示パネルなどの表示装置を備えてもよい。当該表示装置は、文字、図形、キャラクタ等を表示することで、給湯装置１に関する情報をユーザーに報知できる。端末装置６は、例えば、音声出力装置などの他の報知装置を備えてもよい。端末装置６は、ユーザー操作を受け付ける操作部を備える。当該操作部は、例えば、ユーザーが操作するボタン、タッチパネル、タッチパッドのうちの少なくとも一つを備えてもよい。ユーザーは、当該操作部を操作することにより、給湯装置１の運転に関する指令及び設定値の変更などを、端末装置６に対して入力できる。
【００２８】
電動排水栓９は、浴槽８の底部に設置されている。電動排水栓９は、自動で開閉可能な排水栓の例である。電動排水栓９が閉じているときには浴槽８内に浴槽水を溜めることができる。電動排水栓９が開くと、浴槽８内の浴槽水が、電動排水栓９を通って、例えば排水管（図示省略）へ排出される。電動排水栓９を開くことで、浴槽８内の浴槽水をすべて外部へ排出することができる。電動排水栓９は、例えば、電動機（図示省略）により駆動されることで開閉する。電動排水栓９は、その開度を調整可能なものでもよい。例えば、ステッピングモータ（図示省略）により電動排水栓９を駆動することで、電動排水栓９の開度を容易に調整できる。制御装置１０は、電動排水栓９の動作を制御可能である。制御装置１０が電動排水栓９の動作を直接的に制御してもよいし、浴室またはその近くに設置された電動排水栓９の制御ユニット（図示省略）を介して間接的に制御装置１０が電動排水栓９の動作を制御してもよい。
【００２９】
端末装置６は、電動排水栓９を作動させるためのユーザー操作を受け付けることができる。ユーザーは、電動排水栓９を開くための指令と、電動排水栓９を閉じるための指令とを端末装置６に対して入力可能である。ユーザーは、端末装置６を操作することで、電動排水栓９を遠隔操作することができる。
【００３０】
浴槽８またはその近くに、ユーザーが操作するための排水栓開閉ボタン３５が設置されている。排水栓開閉ボタン３５の信号は、制御装置１０に入力される。排水栓開閉ボタン３５の信号が電動排水栓９の上記制御ユニットに入力され、当該制御ユニットが制御装置１０に信号を伝送してもよい。ユーザーが排水栓開閉ボタン３５を操作すると、その操作に応じて、電動排水栓９が開または閉になるように作動する。例えば、浴槽８に排水栓開閉ボタン３５が取り付けられていてもよいし、浴室に設置された端末装置６である浴室リモコンに排水栓開閉ボタン３５が備えられてもよい。
【００３１】
（蓄熱運転）本実施の形態の給湯装置１は、蓄熱運転を実行できる。蓄熱運転は、熱源ユニット３０で加熱された湯を貯湯タンク１５に流入させる運転である。給湯装置１は、主として夜間に蓄熱運転を行ってもよい。給湯装置１は、追加的な蓄熱運転を昼間に行ってもよい。蓄熱運転のときには、以下のようになる。熱源ユニット３０及び水ポンプ１４ａが運転される。貯湯タンク１５内の下部の水が、水路２３を通って、熱源ユニット３０に供給される。熱源ユニット３０内で加熱された湯すなわち高温水が、水路２４を通って貯湯ユニット２０に戻り、貯湯タンク１５内の上部に流入する。
【００３２】
蓄熱運転の開始時には、貯湯タンク１５内の高温水は消費されており、貯湯タンク１５内の下部には、給水管２１から供給される水の温度に近い温度の低温水が貯留されている。蓄熱運転を行うことで、当該低温水が熱源ユニット３０内の水熱交換器にて加熱されて高温水となる。この高温水が貯湯タンク１５の上部に流入することで、貯湯タンク１５内では、上層の高温水層と下層の低温水層との間の温度境界層が下へ移動する。これにより、貯湯タンク１５内の貯湯量及び蓄熱量が増加する。
【００３３】
蓄熱運転のときに、制御装置１０は、熱源ユニット３０から流出する高温水の温度が、目標加熱温度に等しくなるように、熱源ユニット３０及び水ポンプ１４ａの少なくとも一方の運転を制御してもよい。当該目標加熱温度は、例えば、６５℃から９０℃の範囲内にある温度でもよい。
【００３４】
（給湯運転）本実施の形態の給湯装置１は、給湯端末５へ給湯する給湯運転を実行できる。給湯端末５が開かれて湯が流出した場合に、給湯運転が開始する。給湯運転では、以下のようになる。貯湯タンク１５の上部からの高温水と、給水管２５からの低温水とが給湯混合弁２により混合され、その混合された湯が給湯端末５へ供給される。給湯混合弁２の下流の流路には、給湯混合弁２から流出する湯の温度を検出する温度センサ１２ｄが設置されている。制御装置１０は、給湯混合弁２から流出する湯の温度が、ユーザーにより設定された給湯温度に等しくなるように、給湯混合弁２の動作を制御する。貯湯タンク１５の上部から流出した高温水と同量の低温水が給水管２２から貯湯タンク１５の下部に流入する。これにより、貯湯タンク１５内の温度境界層が上へ移動する。
【００３５】
（湯張り運転）本実施の形態の給湯装置１は、湯張り運転を実行できる。湯張り運転は、入浴に備えて浴槽８に湯を溜める運転である。ユーザーが端末装置６を操作することで湯張り運転を開始させることができる。また、ユーザーが予約した時刻に応じて制御装置１０が湯張り運転を開始させてもよい。湯張り運転では、以下のようになる。電動排水栓９は閉となる。電磁弁７は開となる。貯湯タンク１５の上部からの高温水と、給水管２５からの低温水とが給湯混合弁２により混合され、その混合された湯が、給湯管２９及び浴槽循環回路の流路を通って、浴槽８内に注入される。このとき、給湯管２９を出た湯の流れが、第二水路２８を経由して浴槽８に向かう流れと、熱交換器３及び第一水路２７を経由して浴槽８に向かう流れとに分かれてもよい。制御装置１０は、給湯混合弁２から流出する湯の温度が、ユーザーにより設定された湯張り温度に等しくなるように、給湯混合弁２の動作を制御する。貯湯タンク１５の上部から流出した高温水と同量の低温水が給水管２２から貯湯タンク１５の下部に流入する。これにより、貯湯タンク１５内の温度境界層が上へ移動する。
【００３６】
本実施の形態において給湯装置１は、浴槽８内の水位を検出する水位検出手段を備える。浴槽循環回路に取り付けられた水位センサ３６は、当該水位検出手段の例である。以下の説明では浴槽８内の水位を「浴槽水位」と称する。浴槽循環回路内の水圧を水位センサ３６により検出することで、浴槽水位を検出可能である。制御装置１０は、浴槽水位が目標水位に達した場合に、湯張り運転を終了してもよい。または、例えば給湯管２９に流量センサを設け、給湯管２９を通る湯の積算流量が、目標の湯張り量に達した場合に、制御装置１０が湯張り運転を終了してもよい。
【００３７】
（追焚運転）本実施の形態の給湯装置１は、追焚運転を実行できる。浴槽水の水温が低下した場合には、追焚運転を行い、浴槽水の温度を上昇させることが可能である。追焚運転では、以下のようになる。三方弁１１は、上部水路３１を水路３３に連通させ、第一下部水路３２を遮断する状態となる。水ポンプ１４ｂ及び水ポンプ１４ｃが運転される。貯湯タンク１５の上部から流出した高温のタンク水が、上部水路３１、三方弁１１、及び水路３３を経由して、熱交換器３に供給される。浴槽８内の浴槽水が、第一水路２７を通って、熱交換器３に流入する。熱交換器３内での熱交換により、浴槽水の温度が上昇し、タンク水の温度が低下する。昇温した浴槽水は、第二水路２８を通って、浴槽８内に戻る。降温したタンク水は、第二下部水路３４を通って、貯湯タンク１５の下部に流入する。温度センサ１２ａで検出された浴槽水の温度が目標温度に達した場合に、制御装置１０が追焚運転を終了してもよい。
【００３８】
（循環洗浄運転）本実施の形態の給湯装置１は、循環洗浄運転を実行できる。循環洗浄運転は、浄化作用を有する成分を浴槽水に添加した流体を浴槽循環回路に循環させて浴槽循環回路を洗浄する運転である。循環洗浄運転は、入浴が終了した後に行われる。入浴後の浴槽水には、例えば皮脂汚れのような汚れが含まれる。このため、浄化作用を有する成分が添加されていない浴槽水を循環させたと仮定した場合には、浴槽循環回路の流路内壁に付着した、例えば皮脂汚れのような汚れを洗浄除去する作用が得られないばかりか、浴槽循環回路の流路内壁への汚れの堆積が促進され、逆効果となる可能性がある。これに対し、本実施の形態の循環洗浄運転によれば、浄化作用を有する成分である、例えばマイクロバブルのような気泡を含む浴槽水を循環させることで、優れた洗浄効果が得られる。
【００３９】
図２は、図１に示す給湯装置１の循環洗浄運転における流体の流れを示す図である。図２に示すように、循環洗浄運転では、以下のようになる。水ポンプ１４ｃが運転される。気泡発生装置４により気泡を発生させる。浴槽８内の浴槽水が、第一水路２７を通って、熱交換器３に流入する。第一水路２７の途中の気泡発生装置４にて発生した気泡を含む浴槽水が、熱交換器３及び第二水路２８を通って、浴槽８内に戻る。制御装置１０は、予め設定された運転時間が経過した場合に、循環洗浄運転を終了してもよい。当該運転時間は、例えば、５分間程度でもよい。
【００４０】
浴槽水の温度が高いほど循環洗浄運転による洗浄効果は高くなるが、本実施の形態の循環洗浄運転であれば、浄化作用を有する成分である気泡を含む浴槽水を循環させることで、浴槽水の温度が低い場合であっても、優れた洗浄効果が得られる。循環洗浄運転は、浴槽８を洗浄する効果を兼ね備えてもよい。例えば、循環洗浄運転において、浄化作用を有する成分が添加された浴槽水が、浴槽循環回路から浴槽８内に戻り、浴槽８の内壁面に沿って流れる。これにより、浴槽８の内壁面に付着した、例えば皮脂汚れのような汚れを除去する洗浄効果が得られる。
【００４１】
（注水洗浄運転）本実施の形態の給湯装置１は、注水洗浄運転を実行できる。注水洗浄運転は、浴槽８内の浴槽水の排出終了時に、水源から供給される清浄な水を浴槽循環回路に注入する運転である。本実施の形態における注水洗浄運転の「水源」とは、給水管２１の上流の水源と、貯湯タンク１５との少なくとも一方を含む。注水洗浄運転を行うことで、浴槽循環回路内に残存する浴槽水を清浄な水に置換することができ、浴槽循環回路内を清浄に保つことができる。
【００４２】
図３は、図１に示す給湯装置１の注水洗浄運転における流体の流れを示す図である。図３に示すように、注水洗浄運転では、以下のようになる。電動排水栓９は、開かれている。電磁弁７は開となる。貯湯タンク１５の上部からの高温水と、給水管２５からの低温水とが給湯混合弁２により混合され、その混合された湯が、給湯管２９を通って、浴槽循環回路内に注入される。このとき、給湯管２９を出た湯の流れが、第二水路２８を経由して浴槽８に向かう流れと、熱交換器３及び第一水路２７を経由して浴槽８に向かう流れとに分かれることで、浴槽循環回路内の全体に清浄な水が注入される。制御装置１０は、給湯混合弁２から流出する湯の温度が、目標温度に等しくなるように、給湯混合弁２の動作を制御してもよい。当該目標温度は、例えば４０℃でもよい。浴槽循環回路内に残存していた浴槽水は、注入された清浄な水によって浴槽８内へ押し出され、電動排水栓９から浴槽８外へ排出される。制御装置１０は、浴槽循環回路への注入量が目標値に達した場合に、電磁弁７を閉じて、注水洗浄運転を終了してもよい。注入量の目標値は、例えば、１０Ｌ程度でもよい。
【００４３】
制御装置１０は、電動排水栓９が開いた後、浴槽水位が十分に低下した時点で、注水洗浄運転を開始してもよい。例えば、水位センサ３６により検出された浴槽水位が、浴槽循環回路と浴槽８との接続位置またはその近くまで低下した時点で、注水洗浄運転を開始してもよい。注水洗浄運転が終了したときの浴槽水位が、浴槽循環回路と浴槽８との接続位置より低くなっていればよい。制御装置１０は、水位センサ３６により検出された浴槽水位に応じて、注水洗浄運転を終了してもよい。
【００４４】
（浴槽熱回収運転）本実施の形態の給湯装置１は、浴槽熱回収運転を実行できる。浴槽熱回収運転は、浴槽８に貯留された浴槽水の熱を貯湯タンク１５内へ回収する運転である。浴槽熱回収運転は、入浴が終了した後に実行される。
【００４５】
図４は、図１に示す給湯装置１の浴槽熱回収運転における流体の流れを示す図である。図４に示すように、浴槽熱回収運転では、以下のようになる。三方弁１１は、第一下部水路３２を水路３３に連通させ、上部水路３１を遮断する状態となる。水ポンプ１４ｂ及び水ポンプ１４ｃが運転される。貯湯タンク１５の下部から流出した低温のタンク水が、第一下部水路３２、三方弁１１、及び水路３３を経由して、熱交換器３に供給される。浴槽８内の浴槽水が、第一水路２７を通って、熱交換器３に流入する。熱交換器３内での熱交換により、浴槽水の温度が低下し、タンク水の温度が上昇する。降温した浴槽水は、第二水路２８を通って、浴槽８内に戻る。昇温したタンク水は、第二下部水路３４を通って、貯湯タンク１５の下部に流入する。
【００４６】
入浴後に浴槽８内に残った浴槽水の温度が、貯湯タンク１５内の下部の水温に比べて高い場合には、浴槽熱回収運転を行うことで、浴槽水の熱を貯湯タンク１５内に回収可能である。浴槽８内に残った浴槽水の温度は、温度センサ１２ａにより検出できる。貯湯タンク１５内の下部の水温は、三方弁１１と熱交換器３との間にある温度センサ１２ｃにより検出してもよいし、貯湯タンク１５の下部に取り付けられた温度センサ１３ｅにより検出してもよい。
【００４７】
浴槽熱回収運転を行うことで、貯湯タンク１５内の下部の水温を上昇させることができる。貯湯タンク１５内の下部の水温が上昇すると、蓄熱運転のときに熱源ユニット３０が水を加熱するときの加熱量が減少するので、熱源ユニット３０の消費電力量が減少する。すなわち、浴槽熱回収運転を行うことで、省エネルギーの効果が得られる。
【００４８】
本実施の形態において制御装置１０は、制御モードとして、熱回収洗浄モードを有する。熱回収洗浄モードは、浴槽熱回収運転と循環洗浄運転とを連携させる制御モードである。本実施の形態であれば、制御装置１０が熱回収洗浄モードを備えたことで、以下の効果が得られる。浴槽熱回収による省エネルギーと、浴槽循環回路に対する優れた洗浄効果とを両立することが可能となる。浴槽熱回収運転と循環洗浄運転とが連携するので、ユーザーが浴槽熱回収運転と循環洗浄運転とを別々に設定操作するような煩わしさがなく、優れた利便性が得られる。
【００４９】
本実施の形態において端末装置６は、浴槽８内の浴槽水の排出を許可するユーザー操作を受け付け可能に構成されている。以下の説明では、浴槽８内の浴槽水の排出を許可するユーザー操作を「排水操作」と称する。ユーザーは、例えば、世帯の全員の入浴が終了した場合のように、浴槽８内の浴槽水を排出してよい場合には、端末装置６に対して排水操作を行う。以下の説明では、浴槽８内の浴槽水を排出することを「浴槽８の排水」と称する場合がある。
【００５０】
本実施の形態において制御装置１０は、排水操作がされた場合に、熱回収洗浄モードを実行するとともに、電動排水栓９を自動で開かせることで浴槽水の排出を行うことが可能である。浴槽熱回収運転が実行されると、浴槽８内の浴槽水は、入浴に適さない温度にまで低下する。また、循環洗浄運転が実行されると、浴槽循環回路内から除去された汚れが浴槽８内へ流入する。したがって、まだ入浴していない人がいる場合などには、熱回収洗浄モードの実行を避ける必要がある。よって、熱回収洗浄モードを実行する前に、浴槽８内の浴槽水が不要になったというユーザーの意思を確認することが望まれる。排水操作がされたことは、浴槽８内の浴槽水が不要になったというユーザーの意思が確認できたことに相当する。本実施の形態であれば、ユーザーの随時の排水操作に応じて熱回収洗浄モードを実行することで、適切なタイミングで熱回収洗浄モードを実行できる。
【００５１】
また、本実施の形態において端末装置６は、浴槽８の排水を予約するユーザー操作を受け付け可能に構成されている。ユーザーは、端末装置６を操作することで、浴槽８を排水する時刻を予約できる。当該予約は、当日限りの予約でもよいし、解除しない限り毎日適用される予約でもよいし、日付または曜日のようなスケジュールが決められた予約でもよい。本実施の形態において制御装置１０は、上記の予約に応じて熱回収洗浄モードを実行するとともに、電動排水栓９を自動で開かせることで浴槽水の排出を行うことが可能である。浴槽８の排水をユーザーが予約した時刻になった場合には、浴槽８内の浴槽水が不要になったというユーザーの意思が確認できたことに相当する。本実施の形態であれば、ユーザーによる予約に応じて熱回収洗浄モードを実行することで、適切なタイミングで熱回収洗浄モードを実行できる。
【００５２】
本実施の形態において制御装置１０は、熱回収洗浄モードとして、第一モード、第二モード、及び第三モードのうちの少なくとも一つのモードを有する。第一モードは、浴槽熱回収運転の実行後に循環洗浄運転を実行させるモードである。第二モードは、循環洗浄運転の実行後に浴槽熱回収運転を実行させるモードである。第三モードは、浴槽熱回収運転の少なくとも一部と循環洗浄運転の少なくとも一部とが時間的に重なるように実行させるモードである。
【００５３】
第一モードによれば、以下の効果が得られる。第二モードに比べて、浴槽８内の浴槽水の温度が高い状態で浴槽熱回収運転を実行できるので、浴槽熱回収運転による貯湯タンク１５への回収熱量をより多くできる。その結果、省エネルギーの効果がより大きくなる。
【００５４】
第一モードでの循環洗浄運転のときの浴槽水の温度は、第二モードに比べて、低くなる。本実施の形態であれば、浄化作用を有する成分である気泡を含む浴槽水を循環させることで、第一モードでの循環洗浄運転の場合でも、優れた洗浄効果が得られる。
【００５５】
第二モードによれば、以下の効果が得られる。第一モードに比べて、浴槽８内の浴槽水の温度が高い状態で循環洗浄運転を実行できるので、より優れた洗浄効果が得られる。
【００５６】
第二モードでは、浴槽熱回収運転の前の循環洗浄運転の間に、浴槽８及び浴槽循環回路から周囲に熱が散逸することで、浴槽８内の浴槽水の温度が低下する可能性がある。このため、第二モードでの浴槽熱回収運転のときの浴槽水の温度は、第一モードに比べて、低くなる可能性がある。
【００５７】
第三モードによれば、以下の効果が得られる。浴槽熱回収運転及び循環洗浄運転の完了までの所要時間を、第一モード及び第二モードに比べて短縮できる。
【００５８】
第一モード、第二モード、及び第三モードのうちの２以上の熱回収洗浄モードを制御装置１０が有する場合には、いずれの熱回収洗浄モードを実行するかをユーザーが選択可能としてもよい。例えば、ユーザーが端末装置６を操作することで、いずれの熱回収洗浄モードを実行するかを選択可能としてもよい。
【００５９】
また、第一モード、第二モード、及び第三モードのうちの２以上の熱回収洗浄モードを制御装置１０が有する場合に、いずれの熱回収洗浄モードを実行するかを制御装置１０により自動的に選択可能でもよい。その場合、例えば、以下のようにしてもよい。浴槽水の温度、タンク水の温度、浴槽８の排水の予約時刻、のうちの少なくとも一つの情報に基づいて、いずれの熱回収洗浄モードを実行するかを制御装置１０が自動的に選択してもよい。
【００６０】
第三モードは、浴槽熱回収運転を循環洗浄運転より先に開始させるモードと、循環洗浄運転を浴槽熱回収運転より先に開始させるモードと、浴槽熱回収運転及び循環洗浄運転を同時期に開始させるモードとのうちの少なくとも一つのモードを含んでもよい。
【００６１】
第三モードにおいて浴槽熱回収運転を循環洗浄運転より先に開始させる場合には、以下のようになる。当初は、循環洗浄運転を伴わずに浴槽熱回収運転が実行される。その後、循環洗浄運転が開始され、浴槽熱回収運転及び循環洗浄運転が並行して実行される。その後は、浴槽熱回収運転が循環洗浄運転より先に終了してもよいし、循環洗浄運転が浴槽熱回収運転より先に終了してもよいし、浴槽熱回収運転及び循環洗浄運転が同時に終了してもよい。第三モードにおいて浴槽熱回収運転を循環洗浄運転より先に開始させた場合には、所要時間の短縮を図りつつ、貯湯タンク１５への回収熱量を十分に多くできる。
【００６２】
第三モードにおいて循環洗浄運転を浴槽熱回収運転より先に開始させる場合には、以下のようになる。当初は、浴槽熱回収運転を伴わずに循環洗浄運転が実行される。その後、浴槽熱回収運転が開始され、浴槽熱回収運転及び循環洗浄運転が並行して実行される。その後は、浴槽熱回収運転が循環洗浄運転より先に終了してもよいし、循環洗浄運転が浴槽熱回収運転より先に終了してもよいし、浴槽熱回収運転及び循環洗浄運転が同時に終了してもよい。第三モードにおいて循環洗浄運転を浴槽熱回収運転より先に開始させた場合には、所要時間の短縮を図りつつ、循環洗浄運転時の浴槽水の温度を比較的高くできるので、優れた洗浄効果が得られる。
【００６３】
第三モードにおいて浴槽熱回収運転及び循環洗浄運転を同時期に開始させた場合には、浴槽熱回収運転が循環洗浄運転より先に終了してもよいし、循環洗浄運転が浴槽熱回収運転より先に終了してもよいし、浴槽熱回収運転及び循環洗浄運転が同時に終了してもよい。第三モードにおいて浴槽熱回収運転及び循環洗浄運転を同時期に開始させた場合には、所要時間の短縮を図りつつ、貯湯タンク１５への回収熱量の向上と、洗浄効果の向上とを両立できる。
【００６４】
図５は、第一モードの熱回収洗浄モードの処理を含むフローチャートである。図５のステップＳ１で、制御装置１０は、例えば端末装置６から受信した情報に基づいて、浴槽８内の浴槽水を排出してよいかどうかを判断する。例えば、排水操作がされた場合には、浴槽８内の浴槽水を排出してよいと判定される。あるいは、浴槽８の排水をユーザーが予約した時刻になった場合には、浴槽８内の浴槽水を排出してよいと判定される。
【００６５】
浴槽８内の浴槽水を排出してよいと判定された場合には、処理はステップＳ１からステップＳ２へ進む。ステップＳ２で、制御装置１０は、浴槽熱回収運転を開始させる。このステップＳ２は、第一モードの熱回収洗浄モードを開始する処理に相当する。
【００６６】
処理はステップＳ２からステップＳ３へ進む。ステップＳ３で、制御装置１０は、浴槽熱回収運転を終了させる条件の成否を判断する。以下の複数の終了条件のうちの少なくとも一つに基づいて、浴槽熱回収運転を終了してもよい。温度センサ１２ａで検出された浴槽水温が、温度センサ１２ｃまたは温度センサ１３ｅにより検出されたタンク水温に比べて、低くなった場合または温度差が小さくなった場合に、浴槽熱回収運転を終了してもよい。浴槽熱回収運転の開始からの経過時間が、予め設定された運転時間に達した場合に、浴槽熱回収運転を終了してもよい。当該運転時間は、例えば、５分間〜４０分間程度でもよい。上述した二つの終了条件を併用する場合には、水温の条件を優先することが望ましい。
【００６７】
ステップＳ３で終了条件が成立していない場合には浴槽熱回収運転が継続され、再度ステップＳ３の判断を行う。終了条件が成立すると、処理はステップＳ３からステップＳ４へ進む。ステップＳ４で、制御装置１０は、浴槽熱回収運転を終了させる。
【００６８】
処理はステップＳ４からステップＳ５へ進む。ステップＳ５で、制御装置１０は、電動排水栓９を開かせる。これにより、浴槽８内の浴槽水が電動排水栓９から排出され始める。このように、本実施の形態では、ユーザーにより排水操作がされた場合に、すぐに電動排水栓９を開いて排水を開始するのではなく、浴槽熱回収運転が実行された後に電動排水栓９を開いて排水を開始する。このため、浴槽熱回収運転の運転時間を十分に長くできるので、回収熱量を十分に多くできる。本実施の形態では浴槽熱回収運転の終了後に電動排水栓９を開いて排水を開始しているが、浴槽熱回収運転が途中まで実行された時点で電動排水栓９を開いて排水を開始してもよい。その場合でも上記に類似の効果が得られる。
【００６９】
処理はステップＳ５からステップＳ６へ進む。ステップＳ６で、制御装置１０は、循環洗浄運転を開始する。循環洗浄運転の実行中、電動排水栓９が開いているため、浴槽水位は徐々に低下していく。
【００７０】
処理はステップＳ６からステップＳ７へ進む。ステップＳ７で、制御装置１０は、浴槽水位が注水洗浄開始水位まで下がったかどうかを、水位センサ３６からの信号を用いて判断する。注水洗浄開始水位は、注水洗浄運転を実行すべき浴槽水位として、予め設定された浴槽水位である。本実施の形態における注水洗浄開始水位は、浴槽循環回路に浴槽水を循環させる運転を終了すべき浴槽水位に相当する。注水洗浄開始水位は、例えば、浴槽循環回路と浴槽８との接続位置またはその近くに相当する浴槽水位でもよい。ステップＳ７で浴槽水位がまだ注水洗浄開始水位まで下がっていない場合には循環洗浄運転が継続され、再度ステップＳ７の判断を行う。浴槽水位が注水洗浄開始水位まで下がると、処理はステップＳ７からステップＳ８へ進む。ステップＳ８で、制御装置１０は、循環洗浄運転を終了する。
【００７１】
処理はステップＳ８からステップＳ９へ進む。ステップＳ９で、制御装置１０は、注水洗浄運転を実行する。
【００７２】
上述した図５の処理によれば、以下の効果が得られる。熱回収洗浄モードが途中まで実行された時点で電動排水栓９を開いて排水を開始するので、熱回収洗浄モードの実行が終了した後に電動排水栓９を開いて排水を開始する場合に比べて、浴槽８内の排水が完了するまでの所要時間を短縮できる。電動排水栓９を開いて排水を開始するのと同時期に循環洗浄運転を開始するので、当該所要時間の短縮を図りつつ、循環洗浄運転の運転時間を十分に長くできる。浴槽８内の排水終了時に注水洗浄運転を実行させるので、排水後に浴槽循環回路の流路内をより清浄に保つことができる。
【００７３】
図６は、第二モードの熱回収洗浄モードの処理を含むフローチャートである。図６のステップＳ１１で、制御装置１０は、浴槽８内の浴槽水を排出してよいかどうかを判断する。このステップＳ１１の処理は、前述したステップＳ１と同様である。
【００７４】
浴槽８内の浴槽水を排出してよいと判定された場合には、処理はステップＳ１１からステップＳ１２へ進む。ステップＳ１２で、制御装置１０は、循環洗浄運転を実行させる。このステップＳ１２は、第二モードの熱回収洗浄モードを開始する処理に相当する。制御装置１０は、循環洗浄運転の開始からの経過時間が、予め設定された運転時間に達した場合に、循環洗浄運転を終了してもよい。当該運転時間は、例えば、５分間程度でもよい。
【００７５】
循環洗浄運転が終了すると、処理はステップＳ１２からステップＳ１３へ進む。ステップＳ１３で、制御装置１０は、浴槽熱回収運転を開始させる。処理はステップＳ１３からステップＳ１４へ進む。ステップＳ１４で、制御装置１０は、浴槽熱回収運転を終了させる条件の成否を判断する。このステップＳ１４の処理は、前述したステップＳ３と同様である。
【００７６】
ステップＳ１４で浴槽熱回収運転の終了条件が成立していない場合には浴槽熱回収運転が継続され、再度ステップＳ１４の判断を行う。終了条件が成立すると、処理はステップＳ１４からステップＳ１５へ進む。ステップＳ１５で、制御装置１０は、浴槽熱回収運転を終了させる。
【００７７】
処理はステップＳ１５からステップＳ１６へ進む。ステップＳ１６で、制御装置１０は、電動排水栓９を開かせる。これにより、浴槽８内の浴槽水が電動排水栓９から排出され始める。このように、本実施の形態では、ユーザーにより排水操作がされた場合に、すぐに電動排水栓９を開いて排水を開始するのではなく、浴槽熱回収運転が実行された後に電動排水栓９を開いて排水を開始する。このため、浴槽熱回収運転の運転時間を十分に長くできるので、回収熱量を十分に多くできる。本実施の形態では浴槽熱回収運転の終了後に電動排水栓９を開いて排水を開始しているが、浴槽熱回収運転が途中まで実行された時点で電動排水栓９を開いて排水を開始してもよい。その場合でも上記に類似の効果が得られる。
【００７８】
ステップＳ１６で電動排水栓９が開かれたことにより、浴槽水位は徐々に低下していく。処理はステップＳ１６からステップＳ１７へ進む。
【００７９】
ステップＳ１７で、制御装置１０は、浴槽水位が注水洗浄開始水位まで下がったかどうかを判断する。このステップＳ１７の処理は、前述したステップＳ７と同様である。ステップＳ１７で浴槽水位がまだ注水洗浄開始水位まで下がっていない場合には、再度ステップＳ１７の判断を行う。浴槽水位が注水洗浄開始水位まで下がると、処理はステップＳ１７からステップＳ１８へ進む。ステップＳ１８で、制御装置１０は、注水洗浄運転を実行する。
【００８０】
図７は、第三モードの熱回収洗浄モードの処理を含むフローチャートである。図７のステップＳ２１で、制御装置１０は、浴槽８内の浴槽水を排出してよいかどうかを判断する。このステップＳ２１の処理は、前述したステップＳ１と同様である。
【００８１】
浴槽８内の浴槽水を排出してよいと判定された場合には、処理はステップＳ２１からステップＳ２２へ進む。ステップＳ２２で、制御装置１０は、電動排水栓９を開かせる。これにより、浴槽８内の浴槽水が電動排水栓９から排出され始める。処理はステップＳ２２からステップＳ２３へ進む。ステップＳ２３で、制御装置１０は、浴槽熱回収運転及び循環洗浄運転を開始させる。このステップＳ２３は、第三モードの熱回収洗浄モードを開始する処理に相当する。
【００８２】
処理はステップＳ２３からステップＳ２４へ進む。ステップＳ２４で、制御装置１０は、浴槽熱回収運転を終了させる条件の成否を判断する。このステップＳ２４の処理は、前述したステップＳ３と同様である。
【００８３】
ステップＳ２４で浴槽熱回収運転の終了条件が成立すると、処理はステップＳ２４からステップＳ２５へ進む。ステップＳ２５で、制御装置１０は、浴槽熱回収運転を終了させる。この場合、処理はステップＳ２５からステップＳ２６へ進む。ステップＳ２４で浴槽熱回収運転の終了条件が成立していない場合には浴槽熱回収運転が継続され、ステップＳ２６へ進む。
【００８４】
ステップＳ２６で、制御装置１０は、循環洗浄運転を終了させる条件の成否を判断する。循環洗浄運転を終了させる条件は、例えば、循環洗浄運転の開始からの経過時間が予め設定された運転時間に達すること、でもよい。
【００８５】
ステップＳ２６で循環洗浄運転の終了条件が成立すると、処理はステップＳ２６からステップＳ２７へ進む。ステップＳ２７で、制御装置１０は、循環洗浄運転を終了させる。この場合、処理はステップＳ２７からステップＳ２８へ進む。ステップＳ２６で循環洗浄運転の終了条件が成立していない場合には循環洗浄運転が継続され、ステップＳ２８へ進む。
【００８６】
ステップＳ２８で、制御装置１０は、浴槽水位が注水洗浄開始水位まで下がったかどうかを判断する。このステップＳ２８の処理は、前述したステップＳ７と同様である。ステップＳ２８で浴槽水位がまだ注水洗浄開始水位まで下がっていない場合には、ステップＳ２４からの処理を再度実行する。浴槽水位が注水洗浄開始水位まで下がると、処理はステップＳ２８からステップＳ２９へ進む。ステップＳ２９で、制御装置１０は、注水洗浄運転を実行する。ステップＳ２９で、浴槽熱回収運転がまだ継続している場合には、制御装置１０は、浴槽熱回収運転を終了して、注水洗浄運転を実行する。ステップＳ２９で、循環洗浄運転がまだ継続している場合には、制御装置１０は、循環洗浄運転を終了して、注水洗浄運転を実行する。
【００８７】
上述した図７の処理によれば、以下の効果が得られる。制御装置１０が、電動排水栓９を自動で開かせて浴槽水を電動排水栓９から排出しながら第三モードの熱回収洗浄モードを実行するので、浴槽８内の排水が完了するまでの所要時間を長くすることなく、浴槽熱回収による省エネルギーと、浴槽循環回路に対する優れた洗浄効果とを両立することが可能となる。よって、浴槽８内の早期の排水をユーザーが希望する場合にも対応できる。特に、電動排水栓９を自動で開かせるのと同時期に第三モードの熱回収洗浄モードを開始することで、浴槽８内の排水が完了するまでの所要時間を十分に短くできる。
【００８８】
上述した図７の処理に代えて、第三モードの熱回収洗浄モードが途中まで実行された時点で、制御装置１０が電動排水栓９を自動で開かせて排水を開始してもよい。その場合には、浴槽８内の排水が完了するまでの所要時間は延びるが、浴槽熱回収運転及び循環洗浄運転の運転時間を長くできるので、省エネルギー及び洗浄効果をより向上できる。
【００８９】
以上の説明では、浴槽８に電動排水栓９が備えられている場合を例に説明したが、本発明は、浴槽８に電動排水栓９が備えられていない場合にも適用可能である。その場合には、例えば、以下のようにしてもよい。制御装置１０は、水位センサ３６で検出される浴槽水位の低下に基づいて、ユーザーが浴槽８の排水栓を抜いたかどうか、すなわち浴槽８の排水が開始したかどうかを検出する。浴槽８の排水が開始したと判定されると、制御装置１０は、第三モードの熱回収洗浄モードを開始する。この場合、図７のステップＳ２４からの処理と同様の処理を実行してもよい。第三モードの熱回収洗浄モードであれば、短時間に浴槽熱回収運転及び循環洗浄運転を実行できるので、上記の場合においても、浴槽熱回収による省エネルギーと、浴槽循環回路に対する優れた洗浄効果とを両立することが可能となる。
【００９０】
制御装置１０は、電動排水栓９を開閉動作させることと、電動排水栓９の弁開度を調整することとの少なくとも一方により、排水速度を調整してもよい。排水速度とは、電動排水栓９から時間当たりに排出される浴槽水の量である。例えば、制御装置１０は、電動排水栓９の開度を全開よりも小さい開度に維持させることにより、電動排水栓９が全開のときに比べて排水速度を低くできる。また、制御装置１０は、電動排水栓９を開閉動作させることにより、電動排水栓９が開きっぱなしのときに比べて排水速度を低くできる。電動排水栓９を開閉動作させる場合には、例えば、電動排水栓９の開閉動作の周期よりも長い、単位時間当たりに電動排水栓９から排出される浴槽水の量を「排水速度」とみなしてもよい。
【００９１】
制御装置１０は、浴槽熱回収運転において、電動排水栓９の開度を全開よりも小さい開度にすることと、電動排水栓９を開閉動作させることとの少なくとも一方を実行してもよい。その場合、以下の効果が得られる。電動排水栓９から排水しながら浴槽熱回収運転を行うことで排水完了までの所要時間の短縮を図りつつ、排水速度を調整することで浴槽熱回収運転の時間を長めにできるので、回収熱量を向上できる。
【００９２】
端末装置６は、浴槽８の排水完了までの所要時間と、浴槽８の排水完了の予定時刻との少なくとも一方を指定するユーザー操作を受け付け可能に構成されてもよい。制御装置１０は、当該指定された所要時間または予定時刻に応じて、電動排水栓９により、排水速度を調整してもよい。
【００９３】
熱回収洗浄モードの開始後に、電動排水栓９を作動させるためのユーザー操作がされた場合には、制御装置１０は、熱回収洗浄モードの実行を停止し、当該ユーザー操作に応じて電動排水栓９を開閉させることが望ましい。例えば、熱回収洗浄モードの開始後に、排水栓開閉ボタン３５が操作された場合には、制御装置１０は、熱回収洗浄モードの実行を停止し、排水栓開閉ボタン３５に対する操作に応じて電動排水栓９を開閉させることが望ましい。上記のようにすることで、以下の効果が得られる。例えば、ユーザーが誤って排水操作をした場合、または排水を誤って予約した場合などに、ユーザーの意図しない熱回収洗浄モードが開始される可能性がある。例えば、まだ入浴していない人がいる場合には熱回収洗浄モードの実行を中止する必要がある。あるいは、浴槽８の残り湯を洗濯等に利用する予定があるような場合には、浴槽水の排出を中止する必要がある。そのような場合に、ユーザーの意思に従い、熱回収洗浄モードの実行を容易に停止させることができる。
【００９４】
前述したように、本実施の形態では、ユーザーによる予約に応じて熱回収洗浄モードが実行される場合と、ユーザーの随時の排水操作に応じて熱回収洗浄モードが実行される場合とがある。このことに関連して、以下のようにしてもよい。制御装置１０は、予約に応じて熱回収洗浄モードを実行する場合の浴槽熱回収運転の運転時間が、排水操作に応じて熱回収洗浄モードを実行する場合の浴槽熱回収運転の運転時間に比べて、長くなるように制御してもよい。排水操作をしたユーザーは、浴槽８の排水が完了した後に、例えば、浴槽８の掃除あるいは浴槽８への湯張りなどをする予定でいる可能性がある。このため、ユーザーが排水操作をしてから浴槽８の排水が完了するまでの所要時間が長すぎると、ユーザーの予定に影響する可能性がある。よって、排水操作に応じた熱回収洗浄モードの場合には、浴槽熱回収運転の運転時間を比較的短くすることで、上記のようなユーザーの予定に影響する可能性を低くできる。これに対し、ユーザーが浴槽８の排水を予約した場合には、浴槽８の排水が完了する時刻が多少遅くなっても、ユーザーの予定に影響する可能性は低いと考えられる。そこで、予約に応じた熱回収洗浄モードの場合には、浴槽熱回収運転の運転時間を比較的長くすることで、回収熱量をより多くし、より省エネルギーにすることが可能となる。また、上記と同様の理由により、制御装置１０は、予約に応じて熱回収洗浄モードを実行する場合の循環洗浄運転の運転時間が、排水操作に応じて熱回収洗浄モードを実行する場合の循環洗浄運転の運転時間に比べて、長くなるように制御してもよい。
【００９５】
給湯装置１は、浴室にいる入浴者を検出する入浴者検出手段（図示省略）を備えてもよい。入浴者検出手段は、例えば、以下のようにして、入浴者を検出してもよい。浴室に設置された人感センサにより入浴者を検出してもよい。浴室内の画像を撮影する画像センサまたはカメラにより撮影された画像を処理することで入浴者を検出してもよい。浴室のシャワーの使用の有無により入浴者を検出してもよい。制御装置１０は、入浴者検出手段が入浴者を検出した場合、すなわち入浴者がいるときには、浴槽熱回収運転及び循環洗浄運転を停止してもよい。例えば、浴槽８の排水の予約をユーザーが解除し忘れたような場合には、入浴者がいるときに熱回収洗浄モードが実行される可能性がある。そのような場合に、入浴者を検出して浴槽熱回収運転及び循環洗浄運転を停止することで、浴槽８内の浴槽水が入浴に適さない状態になることを防止できる。また、制御装置１０は、入浴者検出手段が入浴者を検出した場合、すなわち入浴者がいるときには、電動排水栓９を閉じさせて、浴槽８の排水をしないように制御することが望ましい。
【００９６】
本発明は、以上説明した実施の形態に限定されるものではなく、例えば、以下のように変形することが可能である。浴槽熱回収運転は、貯湯タンクの内部に配置された熱交換器に浴槽水を導くことでタンク水と浴槽水とを熱交換する運転でもよい。浴槽熱回収運転は、浴槽水がタンク水を直接的に加熱する運転に代えて、浴槽水が水以外の熱媒体を介してタンク水を加熱する運転としてもよい。例えば、当該熱媒体として冷媒を用い、浴槽水の熱で冷媒を蒸発させ、その冷媒を圧縮機で圧縮し、圧縮された冷媒によってタンク水を加熱してもよい。
【符号の説明】
【００９７】
１  給湯装置、  ２  給湯混合弁、  ３  熱交換器、  ４  気泡発生装置、  ５  給湯端末、  ６  端末装置、  ７  電磁弁、  ８  浴槽、  ９  電動排水栓、  １０  制御装置、  １１  三方弁、  １４ａ，１４ｂ，１４ｃ  水ポンプ、  １５  貯湯タンク、  ２０  貯湯ユニット、  ２１  給水管、  ２６  出湯路、  ２７  第一水路、  ２８  第二水路、  ２９  給湯管、  ３０  熱源ユニット、  ３１  上部水路、  ３２  第一下部水路、  ３４  第二下部水路、  ３５  排水栓開閉ボタン、  ３６  水位センサ
【図１】
2018105599.tif 000003
【図２】
2018105599.tif 000004
【図３】
2018105599.tif 000005
【図４】
2018105599.tif 000006
【図５】
2018105599.tif 000007
【図６】
2018105599.tif 000008
【図７】
2018105599.tif 000009